(57)【要約】【課題】ネットワークを通じた画像データの交換時に、一方的な画像データの送信を回避し、公平かつ確実な画像データ交換を実現する。【解決手段】第一の通信端末は、その表示手段に第二の通信端末から受信した第二の画像データを劣化状態で表示する処理（Ｓ５）と、第一の画像データと上記第二の画像データとの交換を申し出るための交換申出情報の入力を受け付ける処理（Ｓ６，Ｓ８）と、この交換申出情報を第二の通信端末に送信する処理（Ｓ９）とを行い、第二の通信端末は、上記交換申出情報の内容に承諾する場合、上記第二の画像データを原状態で使用することを第一の通信端末に許可する処理を行う。これに応じて、第一の通信端末は、上記第二の画像データを原状態で使用する処理（Ｓ１２）を行う。【選択図】  図１
2004153696.tif 000002
【特許請求の範囲】
【請求項１】
ネットワークを介し、複数の通信端末間で画像データを交換する画像データ交換方法であって、
第一の通信端末の表示手段に、第二の通信端末から受信した第二の画像データを劣化状態で表示する劣化表示処理と、
第一の通信端末が、自機の保有する第一の画像データと上記第二の画像データとの交換を申し出るための交換申出情報の入力を、第一の通信端末の利用者から受け付ける受付処理と、
第一の通信端末が、上記交換申出情報を第二の通信端末に送信する申出処理と、
第二の通信端末が、上記交換申出情報の内容に承諾する場合、上記第二の画像データを原状態で使用することを第一の通信端末に許可する使用許可情報を第一の通信端末に送信する許可処理と、
第一の通信端末が、上記使用許可情報に基づいて、上記第二の画像データを原状態で使用する使用処理と、
を備えることを特徴とする画像データ交換方法。
【請求項２】
上記劣化表示処理では、第二の通信端末は、原状態の画像データに劣化処理を施し、処理後の画像データを上記劣化状態の第二の画像データとして、第一の通信端末に送信すると共に、
上記許可処理では、第二の通信端末は、使用許可の対象となる原状態の画像データを第一の通信端末に送信することを特徴とする請求項１に記載の画像データ交換方法。
【請求項３】
上記劣化表示処理では、第二の通信端末は、原状態の画像データを第一の通信端末に送信すると共に、第一の通信端末は、上記原状態の画像データに劣化処理を施し、処理後の画像データを上記劣化状態の第二の画像データとして上記表示手段に表示することを特徴とする請求項１に記載の画像データ交換方法。
【請求項４】
上記受付処理では、第一の通信端末は、交換対象となる、上記第一の画像データの画像データ数と上記第二の画像データの画像データ数とが一致する場合にのみ、上記交換申出情報のみを受け付けることを特徴とする請求項１乃至３のいずれか１項に記載の画像データ交換方法。
【請求項５】
上記使用処理では、第一の通信端末は、上記使用許可情報に基づいて、上記原状態の第二の画像データを外部装置に送信することを特徴とする請求項１乃至４のいずれか１項に画像データ交換方法。
【請求項６】
上記使用処理では、第一の通信端末は、上記原状態の第二の画像データを上記外部装置における表示手段の表示特性に応じた形態に変換し、変換後の画像データを上記外部装置に送信することを特徴とする請求項５に記載の画像データ交換方法。
【請求項７】
コンピュータを、
請求項１乃至６のいずれか１項に記載の画像データ交換方法における第一の通信端末として機能させることを特徴とする画像データ交換プログラム。
【請求項８】
請求項７に記載の画像データ交換プログラムが記録されたことを特徴とするコンピュータ読み取り可能な記録媒体。
【請求項９】
被写体を撮影する撮影部と、
上記撮影部が撮影した撮影画像をプリント出力する出力部と、
ネットワークを介し、外部装置とのデータ送受信を行う送受信部とを備える写真撮影プリント装置であって、
請求項１乃至６のいずれか１項に記載の画像データ交換方法における第一の通信端末として機能することを特徴とする写真撮影プリント装置。
【請求項１０】
請求項９に記載の写真撮影プリント装置に搭載されるプリント紙ユニットであって、
プリント用画像が印刷されるプリント紙と、当該プリント紙に関する識別情報を記録する識別媒体とを備えるとともに、
上記写真撮影プリント装置が具備する識別情報読み取り手段によって、上記識別媒体から識別情報が読み取られ、その内容が確認された上で上記プリント紙に上記プリント用画像がプリントされるものであることを特徴とするプリント紙ユニット。
【発明の詳細な説明】
【０００１】
【発明の属する技術分野】
本発明は、ネットワークを介し、複数の通信端末間で画像データを交換する画像データ交換方法、画像データ交換プログラム、これを記録したコンピュータ読み取り可能な記録媒体、写真撮影プリント装置ならびにプリント紙ユニットに関するものである。
【０００２】
【従来の技術】
従来、例えばゲームセンタなどの娯楽施設において、利用者の写真撮影を行うとともに、その写真を背景画像などと合成した上でシールプリントとして出力する写真撮影プリント装置が設置されており、人気を博している。特に、写真を撮影した後、利用者が、表示画面上に表示した撮影画像に対してタッチペンなどのポインティングデバイスを用いて落書き（画像編集）を行い、画面で確認後、プリント出力する機種が普及している。
【０００３】
写真撮影プリント装置においては、撮影の美しさとともに、撮影遊びや落書き遊びの要素も大きく、娯楽性が求められている。また、写真撮影プリント装置の利用者間では、撮影写真プリントを交換し、システム手帳や携帯電話等に貼り付けたり、収集したりする遊びが一般的になっている。
【０００４】
このような写真撮影プリント装置の発展形として、撮影写真プリントの出力に代えて、または撮影写真プリントの出力と併せて、撮影画像データ（画像データ）を通信回線上で公開するものが知られている（例えば、特許文献１参照）。このような写真撮影プリント装置を用いれば、利用者は、ネットワーク（通信回線）上に設けられた掲示板などを通じて、撮影画像データを交換したり、その交換相手を募集したりすることができる。例えば、利用者は、写真撮影後、自宅のパソコンからパスワード等を入力することにより、サーバ上で開設されたウェブサイトを閲覧し、そのウェブサイトに掲載された撮影画像データの内容を確認したり、交換相手の連絡先を知ったりすることができる。
【０００５】
【特許文献１】
特開２００１−２９２３９１号公報（公開日：平成１３年１０月１９日）
【０００６】
【発明が解決しようとする課題】
しかし、従来の写真撮影プリント装置を用いて、ネットワーク上で撮影画像データを交換する場合、次のような問題点が生じていた。
【０００７】
すなわち、利用者が、ネットワークを通じて撮影画像データを相手方に送信した場合であっても、相手方から引き替えとなる撮影画像データが送信される保証はなく、撮影画像データの提供が一方的なものとなるおそれがあった。
【０００８】
また、相手方が撮影画像データを送信してきた場合であっても、その数や内容が、利用者の提供した撮影画像データと比較して著しく劣る場合には、撮影画像データの公平な交換とはならない。このような問題は、利用者に、撮影画像データを、ネットワークを通じて見知らぬ相手と交換することを躊躇させる原因となっていた。
【０００９】
本発明は、上記の問題点を解決するためになされたもので、その目的は、ネットワークを介して、公平かつ確実な画像データ交換を実現する画像データ交換方法、画像データ交換プログラム、これを記録したコンピュータ読み取り可能な記録媒体、写真撮影プリント装置ならびにプリント紙ユニットを提供することにある。
【００１０】
【課題を解決するための手段】
本発明の画像データ交換方法は、前記課題を解決するために、ネットワークを介し、複数の通信端末間で画像データを交換する画像データ交換方法であって、第一の通信端末の表示手段に、第二の通信端末から受信した第二の画像データを劣化状態で表示する劣化表示処理と、第一の通信端末が、自機の保有する第一の画像データと上記第二の画像データとの交換を申し出るための交換申出情報の入力を、第一の通信端末の利用者から受け付ける受付処理と、第一の通信端末が、上記交換申出情報を第二の通信端末に送信する申出処理と、第二の通信端末が、上記交換申出情報の内容に承諾する場合、上記第二の画像データを原状態で使用することを第一の通信端末に許可する使用許可情報を第一の通信端末に送信する許可処理と、第一の通信端末が、上記使用許可情報に基づいて、上記第二の画像データを原状態で使用する使用処理と、を備えることを特徴としている。
【００１１】
上記の構成において、ネットワークとは、インターネット、ＬＡＮ（Ｌｏｃａｌ  Ａｒｅａ  Ｎｅｔｗｏｒｋ）など公知の通信ネットワークや、公衆通信回線、専用線、ＩＳＤＮ（Ｉｎｔｅｇｒａｔｅｄ  Ｓｅｒｖｉｃｅｓ  Ｄｉｇｉｔａｌ  Ｎｅｔｗｏｒｋ）など公知の通信回線を含むものである。上記通信端末とは、上記ネットワークを介して通信処理を行うものであれば、写真撮影プリント装置、サーバ、携帯電話、ＰＤＡ（Ｐｅｒｓｏｎａｌ  Ｄｉｇｉｔａｌ  Ａｓｓｉｓｔａｎｃｅ）など、その形態を問わない。
【００１２】
上記の構成において、画像データを劣化処理された状態で表示するとは、画像データに各種の品位低下処理を施した状態で表示することをいう。品位低下処理の例としては、モザイク処理、ぼかし処理、画素の間引き処理、縮小処理などが挙げられる。なお、モザイク処理などの品位低下処理は、必ずしも第二の画像データ全体に対して施される必要はなく、画像データの一部分、例えば肌色に相当する部分のみに施されてもよい。
【００１３】
上記の構成によれば、劣化表示処理において、第一の通信端末は、第二の通信端末から受信した第二の画像データを劣化処理された状態で表示する。具体的には、第二の通信端末が、原状態の画像データに劣化処理を施し、処理後の画像データを上記劣化状態の第二の画像データとして、第一の通信端末に送信する形態と、第二の通信端末が原状態の画像データを第一の通信端末に送信すると共に、第一の通信端末が上記原状態の画像データに劣化処理を施し、処理後の画像データを上記劣化状態の第二の画像データとして上記表示手段に表示する形態とが考えられる。後者の形態では、上記許可処理において、第二の通信端末は、使用許可の対象となる原状態の画像データを第一の通信端末に送信する。
【００１４】
その後、上記申出処理において、利用者は第一の通信端末に指示することにより、劣化処理された状態で表示された第二の画像データと、利用者側の第一の画像データとの交換を第二の通信端末に申し出る。これに応じて、第二の通信端末が画像データの交換を承諾すれば、上記使用処理において、第一の通信端末は、上記第二の画像データを原画像状態で使用する。なお、上記承諾処理における交換承諾情報とは、第二の通信端末の利用者からの指示によって送信されるものでもよいし、第二の通信端末自体があらかじめ定められた手順に基づいて自動的に送信するものであってもよい。
【００１５】
これにより、第一の通信端末と第二の通信端末との間で、交換の意思表示が確認された場合にのみ、第一の通信端末は、本来の原画像状態として、第二の通信端末が保有する画像データを使用することができる。この結果、画像データの提供が一方的なものとなることを回避しながら、公平かつ確実な画像データの交換を実現することができる。
【００１６】
また、上記受付処理では、第一の通信端末は、交換対象となる、上記第一の画像データの画像データ数と上記第二の画像データの画像データ数とが一致する場合にのみ、上記交換申出情報のみを受け付けることが好ましい。これにより、第一の端末と第二の端末との画像データの交換をより公平なものとすることができる。
【００１７】
また、上記使用処理の形態は、第二の画像データを原画像状態で使用するものであれば、特に限定されるものではないが、上記使用処理において、第一の通信端末は、上記使用許可情報に基づいて、上記原状態の第二の画像データを外部装置に送信することも好ましい。これにより、使用許可された第二の画像データを第一の通信端末で利用するだけではなく、その他の外部装置で利用することも可能になる。
【００１８】
さらに、上記使用処理では、第一の通信端末は、上記原状態の第二の画像データを上記外部装置における表示手段の表示特性に応じた形態に変換し、変換後の画像データを上記外部装置に送信することが好ましい。これにより、外部装置において、適切な形態で表示される画像データを提供することが可能になる。
【００１９】
なお、画像データ交換プログラムを実行させることにより、コンピュータを上記第一の通信端末として機能させることができる。さらに、上記画像データ交換プログラムをコンピュータ読み取り可能な記録媒体に記録しておけば、上記画像データ交換プログラムをコンピュータに読み取り実行させることにより、コンピュータを上記第一の通信端末として機能させることが可能になる。
【００２０】
本発明の写真撮影プリント装置は、前記課題を解決するために、被写体を撮影する撮影部と、上記撮影部が撮影した撮影画像をプリント出力する出力部と、ネットワークを介し、外部装置とのデータ送受信を行う送受信部とを備える写真撮影プリント装置であって、上記いずれかに記載の画像データ交換方法における第一の通信端末として機能することを特徴としている。
【００２１】
これにより、写真撮影プリント装置を第一の通信端末とした画像データ交換方法の実現が可能になるとともに、例えば撮影部が撮影した撮影画像をあらわす画像データを外部装置の画像データと交換することができる。
【００２２】
また、本発明のプリント紙ユニットは、前記課題を解決するために、上記の写真撮影プリント装置に用いられるプリント紙ユニットであって、画像が印刷されるプリント紙と、上記プリント紙に関する識別情報を記録する識別媒体とを備え、上記写真撮影プリント装置に備えられた識別情報読取手段によって、上記識別媒体に記録されている識別情報が読み取られ、その内容が確認された上で上記プリント紙に画像が出力されることを特徴としている。
【００２３】
上記の構成によれば、識別情報読取手段で読み取った識別情報に基づいて、装着されたプリント紙が、当該写真撮影プリント装置において利用可能なものであるかを判定し、利用可能である場合にのみプリンタを動作可能とすることが可能となる。すなわち、写真撮影プリント装置において指定されているプリント紙以外は使用できないように設定することが可能となる。
【００２４】
また、識別情報に用紙枚数情報を含ませることによって、プリント紙を使用するごとに用紙枚数をカウントダウンすることにより、残りの用紙枚数を把握することが可能となる。よって、残りの用紙枚数が少なくなってきた際に、これを表示手段などによって警告するような構成としておけば、利用者の利用中に用紙切れを起こすというような不具合を回避することが可能となる。
【００２５】
さらに、識別情報に用紙種類情報を含ませることによって、これらを考慮して画像データの色成分などを補正することにより、その用紙やインクフィルムに的確な画像出力を行うことが可能となる。
【００２６】
【発明の実施の形態】
本発明の一実施形態について、図１乃至図１０に基づいて説明すれば、以下の通りである。
【００２７】
［１．システム構成］
図２は、本発明の一実施形態に係る通信ネットワークシステムの概要構成を示している。本通信ネットワークシステムは、複数の写真撮影プリント装置１…（通信端末）が、通信ネットワーク２（ネットワーク）を介して、サーバ３、パーソナルコンピュータ４と接続された構成である（上記の「…」は、その直前の符号で示される構成が複数存在することを意味している）。
【００２８】
写真撮影プリント装置１の詳細については後述するが、通信ネットワーク２としては、インターネット、ＬＡＮ（Ｌｏｃａｌ  Ａｒｅａ  Ｎｅｔｗｏｒｋ）など公知の通信ネットワークや、公衆通信回線、専用線、ＩＳＤＮ（Ｉｎｔｅｇｒａｔｅｄ  Ｓｅｒｖｉｃｅｓ  Ｄｉｇｉｔａｌ  Ｎｅｔｗｏｒｋ）など公知の通信回線を利用することができる。
【００２９】
また、サーバ３およびパーソナルコンピュータ４は、公知のコンピュータ構成であって、その形態を限定されるものではないが、それぞれ、各種データを処理する処理部と、各種データを記憶するメモリと、通信ネットワーク２からデータを受信する受信部と、通信ネットワーク２にデータを送信する送信部とを備えている。
【００３０】
［１−１．写真撮影プリント装置の外観構成］
次に、図３乃至図４を参照しながら、写真撮影プリント装置１の外観構成について説明する。図３は、写真撮影プリント装置１の正面側（撮影部屋）構成を示す斜視図である。図４は、写真撮影プリント装置１の背面側（落書き部屋）構成を示す斜視図である。
【００３１】
図３乃至図４に示すように、写真撮影プリント装置１は、装置本体１１の対向する二面のそれぞれの前方空間が撮影部屋あるいは落書き部屋になるように構成されている。撮影部屋および落書き部屋の外周には、遮光性を有するビニールシートなどから構成される周囲幕（図３、図４の二点鎖線）が設けられている。この周囲幕によって、撮影時に外部からの光が撮影領域に入ってくることを防止することができるので、良好な撮影を行うことが可能となる。また、この周囲幕によって、撮影処理中および落書き処理中に照明や音声による演出が効果的になるとともに、外部からの覗き見等を防いでプライバシーを保護することが可能である。
【００３２】
図３に示すように、写真撮影プリント装置１の装置本体１１には、カメラ１２、タッチパネル１３、操作ボタン１４、コイン投入口１５、コイン返却口１６、前面照明装置１７ａ、仰角照明装置１７ｃ、フロントスピーカ１８ａが備えられている。また、装置本体１１の正面方向には、天井照明装置１７ｂ（図４参照）、リアスピーカ１８ｂが設けられている。
【００３３】
また、図４に示すように、装置本体１１には、タッチパネル２１、タッチペン２２、フロントスピーカ１８ｃ、プリント排出口１９が備えられている。さらに、装置本体１１の背面方向には、天井照明装置１７ｄ、リアスピーカ１８ｄが設けられている。
【００３４】
続いて、写真撮影プリント装置１の上記外観構成について詳細に説明する。
【００３５】
カメラ１２（撮影部）は、利用者の写真を撮影する。カメラ１２は、内部に例えばレンズ群、絞り、ＣＣＤ（ｃｈａｒｇｅ  ｃｏｕｐｌｅｄ  ｄｅｖｉｃｅ）撮像素子などを備えたデジタルカメラを搭載している。また、カメラ１２は、全身撮影やアップ撮影等の複数の撮影方法に対応できるように、レンズ群、絞り、フィルタ等を切り替え可能に構成されてもよい。また、カメラ１２は、垂直に設けられたレールによって昇降自在に取り付けられており、利用者の指示等に応じて最適な高さに設置できる。
【００３６】
タッチパネル１３およびタッチパネル２１は、例えば液晶表示素子などのフラットパネルディスプレイやＣＲＴ（ｃａｔｈｏｄｅ  ｒａｙ  ｔｕｂｅ）等の表示面にタッチセンサを設けて構成されている。タッチパネル１３には、撮影処理における各種メッセージや画像、つまり、デモ画面、オープニング画面、課金処理指示画面、撮影処理における各種操作内容、撮影時の撮影画面などが表示される。
【００３７】
操作ボタン１４は、タッチパネル１３を用いずに行う操作入力のために設けられている。なお、タッチパネル１３から入力可能な操作であっても、同時に操作ボタン１４から入力可能にしてもよい。タッチパネル２１には、落書き処理における各種メッセージや画像、つまり、落書きなどの画像編集処理時における編集対象の画像および各種編集ツールなどが表示される。このように、写真撮影プリント装置１が動作する上で、利用者に対して提示すべき各種メッセージや画像などの表示は、タッチパネル１３あるいはタッチパネル２１によって行われる。
【００３８】
そして、タッチパネル２１の近傍（図４ではタッチパネル２１の下方）には、タッチペン２２が備えられている。利用者は、このタッチペン２２をタッチパネル２１に接触させることによって、処理の進行に応じて表示されるボタンを選択したり、落書きなどの画像描画を行ったりすることが可能となる。
【００３９】
ここで、図４に示すように、写真撮影プリント装置１には、タッチパネル２１およびタッチペン２２が２組並設されている。これにより、２つのタッチパネル２１・２１にそれぞれに表示された撮影画像に、２人の利用者が同時に落書き処理などを入力することができる。なお、タッチパネル２１・２１には、異なる撮影画像をそれぞれ表示させることができ、利用者は、別々の撮影画像に対して落書き処理などを入力することもできる。また、落書き処理において、一方のタッチパネル２１から入力された落書き処理を他方のタッチパネル２１に反映することもできる。
【００４０】
コイン投入口１５は、利用者がプレイ料金として所定金額のコインを投入するための投入口である。また、コイン返却口１６は、釣り銭が生じた場合や、コインが投入された後でリセットされた場合に、コインを利用者に対して返却するための返却口である。また、装置本体１１の内部には、利用者から徴収したコインを蓄積するコイン容器（図示せず）が設けられている。
【００４１】
プリント排出口１９は、利用者が撮影作業および編集作業、および後述の画像データ交換作業等を終了した後、プリント出力された写真プリントが排出される箇所である。このプリント排出口１９は、写真撮影プリント装置１の装置本体１１の側面に配置されており、編集作業を終了した利用者は、このプリント排出口１９の近傍に移動して写真プリントを取り出すことになる。
【００４２】
前面照明装置１７ａおよび天井照明装置１７ｂは、撮影時にフラッシュとして機能するとともに、通常時の照明として機能する。前面照明装置１７ａおよび天井照明装置１７ｂの内部には、例えばフラッシュ時に発光するストロボ照明部、および通常時の照明として発光する蛍光灯などが備えられている。
【００４３】
仰角照明装置１７ｃは、利用者の顔の下から投光するためのスポットタイプの照明装置である。写真撮影プリント装置１には、仰角照明装置１７ｃのような、種々の照明装置を適宜配設することが可能である。なお、天井照明装置１７ｄは、落書き中の照明として機能する。
【００４４】
スピーカ１８（フロントスピーカ１８ａ、リアスピーカ１８ｂ、フロントスピーカ１８ｃ、リアスピーカ１８ｄを含む、写真撮影プリント装置１の拡声装置を総称して「スピーカ１８」と称する）は、利用者に対して各種操作上のガイダンス音声や効果音などを出力する。
【００４５】
［１−２．写真撮影プリント装置の機能構成］
次に、図５を参照しながら、写真撮影プリント装置１の機能構成について説明する。図５は、写真撮影プリント装置１の機能構成をあらわすブロック図である。
【００４６】
図５に示すように、写真撮影プリント装置１は、前述のカメラ１２、タッチパネル１３，２１、タッチペン２２、操作ボタン１４、照明装置１７、スピーカ１８に加え、その内部に、制御装置５０、記憶装置３１、課金処理部３２、ＩＤタグリーダ／ライタ３３、プリンタ３４（出力部）を備えている。また、写真撮影プリント装置１は、プリント紙ユニット４０を搭載している。
【００４７】
制御装置５０は、写真撮影プリント装置１内における各種構成の動作を統括的に制御する。制御装置５０は、例えばＰＣベースのコンピュータによって構成される。そして、各種構成の動作制御は、制御プログラムをコンピュータに実行させることによって行われる。このプログラムは、例えばＣＤ−ＲＯＭなどのリムーバブルメディアに記録されているものを読み出して使用する形態であってもよいし、ハードディスクなどにインストールされたものを読み出して使用する形態であってもよい。また、この制御装置５０がインターネットなどの通信ネットワーク（図２の通信ネットワーク２を含む）に接続された構成とする場合、この通信ネットワークを介して上記プログラムをダウンロードしてハードディスクなどにインストールして実行する形態なども考えられる。
【００４８】
記憶装置３１は、上記したハードディスクなどの不揮発性の記憶装置によって構成されるものである。この記憶装置３１に記憶される内容としては、ＯＳ（ｏｐｅｒａｔｉｎｇ  ｓｙｓｔｅｍ）プログラム、前記制御プログラム、後述の画像データ交換プログラム、その他各種プログラム、カメラ１２における動作設定値、撮影した画像および編集した画像の画像データなどが挙げられる。なお、カメラ１２における動作設定値としては、装置出荷時やメンテナンス時などに設定されるホワイトバランスの値、撮影画像の明暗などを調整する際の画像処理に関する各種パラメータ値などが挙げられる。
【００４９】
課金処理部３２は、利用者から徴収する課金に関する処理を行う。課金処理部３２による課金状況に応じて、制御装置５０が利用者に対する動作を制御する。
【００５０】
ＩＤタグリーダ／ライタ（識別情報読み取り手段）３３およびプリンタ（プリント手段）３４は、プリンタユニットを構成しており、このプリンタユニットに対して、写真プリントの出力媒体となるプリント紙４２およびＩＤタグ（識別媒体）４１がプリント紙ユニット４０としてセットで装着されるようになっている。
【００５１】
プリンタ３４は、出力すべきプリント用画像の画像データが制御装置５０から送られてくると、その画像データに基づいてプリント紙４２にプリント出力（印刷）を行う。プリンタ３４としては、例えば昇華型プリンタが用いられる。なお、昇華型プリンタを用いる場合には、プリント紙４２およびＩＤタグ４１に加えて、昇華型用インクフィルムがセットになって納入され、写真撮影プリント装置１に装着される。
【００５２】
ＩＤタグリーダ／ライタ３３は、ＩＤタグ４１に記録されている各種識別情報を読み出して制御装置５０に出力する。ＩＤタグ４１は、メモリ機能を有するＩＣチップなどによって構成される。上記識別情報としては、固有ＩＤ、用紙枚数、用紙種類、および、インク固有の色情報（インクフィルムがセットとなっている場合）などが挙げられる。
【００５３】
通信部３５（送受信部）は、通信ネットワーク２（図２参照）を含む外部ネットワークを介して、各種のデータ送受信を行う通信インタフェースである。通信部３５は、上記外部ネットワークと接続するために、ＬＡＮインタフェースやモデム装置などを備えるほか、利用者の携帯電話と電話網通信や電子メールの送受信を行うための携帯電話網インタフェースや専用モデム装置を併せて備えている。
【００５４】
制御装置５０は、ＩＤタグリーダ／ライタ３３で読み取った識別情報に基づいて、装着されたプリント紙４２およびインクフィルムが、当該写真撮影プリント装置１において利用可能なものであるかを判定し、利用可能である場合にのみプリンタ３４を動作可能とする。すなわち、写真撮影プリント装置１において指定されているプリント紙４２およびインクフィルム以外は使用できないように設定されていることになる。
【００５５】
また、ＩＤタグ４１に記録されている用紙枚数情報に基づいて、プリント紙４２を使用するごとに用紙枚数をカウントダウンしていくことによって、残りの用紙枚数を把握することが可能となる。よって、残りの用紙枚数が少なくなってきた際に、これを表示手段などによって警告するような構成としておけば、利用者の利用中に用紙切れを起こすというような不具合を回避することが可能となる。なお、用紙枚数をカウントダウンする際には、ＩＤタグ４１に記録されている用紙枚数情報も書き換えるようにする。これにより、用紙を使い切った場合には、ＩＤタグ４１に記録されている用紙枚数情報も０となり、このＩＤタグ４１を無効にすることが可能となる。
【００５６】
また、ＩＤタグ４１に記録されている用紙種類情報や、インク固有の色情報を読み出すことによって、これらを考慮して画像データの色成分などを補正することにより、その用紙やインクフィルムに的確な画像出力を行うことが可能となる。
【００５７】
ＩＤタグ４１としては、無線によりデータ通信を行うことが可能な非接触型ＩＤタグと、端子が設けられた接触型ＩＤタグとがあり、ＩＤタグリーダ／ライタ３３としては、これらのどちらか一方あるいは両方に対応したものとなる。
【００５８】
なお、上記の例では、ＩＤタグ４１を利用して利用可能なプリント紙４２であるか否かを確認するようになっているが、これに限定するものではなく、例えば、プリント紙４２およびインクフィルムを梱包する梱包材などにプリントされているバーコードなどを利用して確認するような構成としてもよい。
【００５９】
なお、上記のプリント紙４２としては、一般的な紙状シートを採用してもよいし、各種の粘着シートや剥離シートなどを採用してもよい。
【００６０】
［３．システムの動作］
次に、図１、図６乃至図１０を参照しながら、本通信ネットワークシステムの写真撮影プリント装置１における画像データ交換動作について説明する。
【００６１】
図１は、本通信ネットワークを構成する写真撮影プリント装置１（図２参照）の画像データ交換動作（画像データ交換方法）を段階的に示すフローチャートである。
【００６２】
写真撮影プリント装置１の画像データ交換動作は、利用者側の交換用画像データ（以下、単数であるか複数であるかを問わず「画像データＡ」と総称する）が準備できていれば、いつ行われてもよい。例えば、利用者が、カメラ１２（図５参照）を用いた撮影処理やタッチパネル２１を用いた落書き処理を完了してから、上記画像データ交換動作が行われてもよいし、あらかじめ利用者側の画像データＡが記憶装置３１（図５参照）に記録されている場合であれば、上記の撮影処理や落書き処理の前に行われてもよい。
【００６３】
写真撮影プリント装置１の画像データ交換動作は、制御装置５０（図５参照）が、記憶装置３１（図５参照）に記録された画像データ交換プログラムを実行することによって実現される。以下、図１を参照しながら、上記画像データ交換動作の各フローについて説明する。
【００６４】
まず、写真撮影プリント装置１は、内蔵する通信部３５（図５参照）に付与された電話番号情報を含むメッセージ画面（図６（ａ）参照）をタッチパネル１３（図３参照）に表示し、利用者の携帯電話（以下、単に「利用者携帯電話」と称する）から写真撮影プリント装置１に電話を発信するよう促す。これに応じて、利用者が写真撮影プリント１に電話を発信すると、写真撮影プリント装置１は、通信部３５及び制御装置５０の働きにより、発信元である利用者携帯電話の電話番号を取得する（ステップＳ１。以下、単に「Ｓ１」と記載する。他のステップについても同様である）。
【００６５】
なお、写真撮影プリント装置１は、本ステップで取得した電話番号の確認メッセージ（図６（ｂ）参照）をタッチパネル１３に表示して、上記電話番号が正しいものであるか否かを利用者に確認することも好ましい。この場合、上記確認メッセージで表示された電話番号が利用者携帯電話の電話番号と一致していれば、利用者は「ＯＫ」の表示を押圧することにより、次ステップへの進行を指示する一方、上記確認メッセージで表示された電話番号が利用者携帯電話の電話番号と異なっていれば、利用者は「やりなおし」の表示を押圧することにより、Ｓ１の処理を繰り返して再度電話番号を取得するように指示する。
【００６６】
次に、写真撮影プリント装置１は、利用者携帯電話の機種情報の入力を促すメッセージ画面（図７（ａ）（ｂ）参照）をタッチパネル１３に表示し、上記機種情報の入力を受け付ける（Ｓ２）。一般に、携帯電話は電話会社毎に機種が異なるので、写真撮影プリント装置１は、携帯電話会社を利用者に選択入力させ（図７（ａ）参照）、選択された携帯電話会社に属する機種情報のうち、詳細な機種名を利用者に選択入力させることが好ましい（図７（ｂ）参照）。
【００６７】
次に、写真撮影プリント装置１は、利用者携帯電話のメールアドレスの入力を促すメッセージ画面（図８参照）をタッチパネル１３に表示し、上記メールアドレスの入力を受け付ける（Ｓ３）。上記メールアドレスの一部がＳ２で取得した利用者携帯電話の機種情報に基づいて推定される場合には、写真撮影プリント装置１は、推定部分の自動入力や一括入力などを可能とすることによって、利用者の入力を補助することも好ましい。
【００６８】
その後、写真撮影プリント装置１は、画像データの交換を行うか否かを利用者に尋ねるメッセージ画面（図９（ａ）参照）をタッチパネル１３に表示する。これに応じて利用者が画像データの交換を指示すれば（利用者が画像データの交換を希望しなければ処理を終了する）、写真撮影プリント装置１は、通信ネットワーク２を介し、他の写真撮影プリント装置（以下、「写真撮影プリント装置１’」と称する）から交換用の画像データ（以下、単数であるか複数であるかを問わず「画像データＢ」と総称する）を受信する（Ｓ４）。
【００６９】
なお、画像データの交換相手となる写真撮影プリント装置１’は、写真撮影プリント装置１がその利用者の指示に応じてあらかじめ選択しておく。受信する画像データＢの数に特に制限はないが、写真撮影プリント装置１がその利用者の指示に応じて指定することが好ましい。画像データＢ（画像データＡ）の形式としては、ＧＩＦ形式やＪＰＥＧ形式など任意のものを採用することができる。
【００７０】
また、受信する画像データＢには、画像データＢの所有者の携帯電話番号または上記携帯電話番号に基づいて特定された所有者名等を含むファイル名が付与されていることが好ましい。例えば、画像データＢの所有者の携帯電話番号が「０９０９９９９９９９９」であれば、画像データＢに「０９０９９９９９９９９＿００１」「０９０９９９９９９９９＿００２」等のファイル名を与える。
【００７１】
これにより、画像データ交換時において、画像データＢの所有者確認が容易になるので、他人になりすました相手による悪戯を防止することができる。また、写真撮影プリント装置１は、画像データＢのファイル名を対象とする各種検索機能を実現することも好ましい。
【００７２】
次に、写真撮影プリント装置１は、図９（ｂ）に示すように、Ｓ４で受信した単数または複数の画像データＢをタッチパネル１３に劣化状態で画像表示する（Ｓ５：劣化表示処理）。図９（ｂ）において、表示されているＵＲＬ情報は、画像データＢを提供した写真撮影プリント装置１’のものであり、利用者の操作指示に基づいて、上記メッセージ画面中のＵＲＬ情報が変更された場合には、更に他の写真撮影プリント装置（例えば写真撮影プリント装置１’’）との間でＳ４からの処理を繰り返す。
【００７３】
本ステップにおいて、画像データＢを劣化状態で表示するとは、画像データＢの原画像データに各種の品位低下処理を施した状態の画像データ（以下、「画像データＢ’」と称する）として表示することをいう。品位低下処理の例としては、モザイク処理、ぼかし処理、画素の間引き処理、縮小処理などが挙げられる。なお、モザイク処理などの品位低下処理は、必ずしも画像データＢの全体に対して施される必要はなく、画像データＢの一部分、例えば肌色に相当する部分のみに施されてもよい。
【００７４】
なお、本ステップにおいて、写真撮影プリント装置１が、Ｓ４で受信した画像データＢを劣化状態で表示する態様としては、画像データＢに対する品位低下処理をあらかじめ相手側（写真撮影プリント装置１’）で施す態様と、利用者側（写真撮影プリント装置１）で施す態様が考えられる。
【００７５】
画像データＢに対する品位低下処理を相手側（写真撮影プリント装置１’）で施した場合、写真撮影プリント装置１は、品位低下処理済の画像データＢ’をＳ４で受信し、受信した画像データＢ’をそのままタッチパネル１３に表示する。一方、画像データＢに対する品位低下処理を利用者側（写真撮影プリント装置１）で行う場合、写真撮影プリント装置１は、Ｓ４で受信した画像データＢに、前述の品位低下処理を施し、処理後の画像データＢ’をタッチパネル１３に表示する。
【００７６】
同時に、写真撮影プリント装置１は、画像データＢ’（Ｂ）のいずれについて、利用者側の画像データ（画像データＡ）との交換を希望するのか、利用者の選択を促すメッセージ画面（図９（ｂ）参照）をタッチパネル１３に表示する（Ｓ６：受付処理）。図９（ｃ）は、図９（ｂ）で表示された画像データＢ’のうち一つが選択されたときのタッチパネル１３における画面表示例を示す図である。
【００７７】
次に、写真撮影プリント装置１は、あらかじめ準備しておいた、利用者側の画像データ（画像データＡ）をタッチパネル１３に表示する（Ｓ７）。前述したように、利用者側の画像データ（画像データＡ）は、あらかじめ記憶装置３１（図５参照）に記録されていてもよいし、写真撮影プリント装置１による画像データ交換動作の直前に、撮影処理や落書き処理を完了したばかりのものであってもよい。
【００７８】
次に、写真撮影プリント装置１は、自機の保有する画像データＡと画像データＢ’（Ｂ）との交換を申し出るための交換申出情報の入力を、利用者から受け付ける。すなわち、利用者は、Ｓ７で表示された画像データＡのうち、Ｓ６にて選択した相手方の画像データＢ’（Ｂ）と交換を希望する画像データＡを選択する（Ｓ８：受付処理）。利用者は、Ｓ４〜Ｓ８のステップを通じて、お互いの画像データ（画像データＡ，画像データＢ’（Ｂ））を確認しながら、リアルタイム感覚で画像データを交換することができる。
【００７９】
なお、利用者側の画像データＡについても、相手側の画像データＢ’（Ｂ）と同様、Ｓ１で得た利用者携帯電話の電話番号または該電話番号に基づいて付与された所有者名等を含むファイル名が付与されることが好ましい。写真撮影プリント装置１は、上記ファイル名に基づいて、利用者と相手先との画像データ交換履歴を把握できる場合、既に交換済の画像データについて、「前にも、交換したよ！」のメッセージ表示や交換済画像の表示を特定色（例えば青色）で囲む表示などを行い、利用者にその旨を知らせることも好ましい。これにより、同一相手と重複する画像データ交換を行うことを回避することができる。
【００８０】
また、写真撮影プリント装置１は、Ｓ６で選択された相手側の画像データＢ’（Ｂ）の数と、本ステップで選択される利用者側の画像データＡの数とが一致するように、利用者に促すことも好ましい。これにより、利用者は、相手側の画像データＢ’（Ｂ）の数と、利用者側の画像データＡの数とが一致する、公平な交換条件に基づいて、後述の交換申出を行うことが可能になる。
【００８１】
さらに、写真撮影プリント装置１は、利用者側の画像データＡのうち、そのデータサイズが所定値より小さいものについては、画像が含まれていないデータ、または画像が不鮮明なデータと判断し、本ステップにおける選択対象から除いておくことも好ましい。これにより、撮影ミスなどに起因して画像が含まれていないミスデータが交換されるなど、不公平なデータ交換が行われることを回避することができる。
【００８２】
次に、写真撮影プリント装置１は、利用者の指示に基づいて、写真撮影プリント装置１’に対し、画像データの交換申出情報を送信する（Ｓ９：申出処理）。
【００８３】
画像データの交換申出情報の内容は、画像データＡ及び画像データＢ’（Ｂ）のいずれを交換するかの条件と、利用者の交換意思情報（明示的なものの他、何らかの情報の送信が交換意思をあらわすなどの暗示的なものを含む）とをあらわすものであれば、その内容は特に限定されるものではない。上記交換申出情報は、例えば、Ｓ６における画像データＢ’（Ｂ）の選択情報、Ｓ８における画像データＡの選択情報、Ｓ８にて選択された画像データＡのデータ自体を含む。
【００８４】
その後、写真撮影プリント装置１は、所定時間、Ｓ９で送信した交換申出情報に応じて交換を承諾する旨の交換承諾情報が写真撮影プリント装置１’から送信されるのを待機する（Ｓ１０：承諾処理）。上記交換承諾情報の内容は、前記交換申出情報に応じる相手方の交換承諾の意思（明示的なものの他、何らかの情報の送信が承諾意思をあらわすなどの暗示的なものを含む）をあらわすものであれば、その内容は特に限定されるものではない。また、Ｓ４にて、写真撮影プリント装置１’が画像データＢを送信せず、画像データＢ’のみを写真撮影プリント装置１に送信していた場合には、交換対象となる画像データＢを上記承諾情報に併せて送信する。写真撮影プリント装置１は、本ステップにおいて、所定時間内に交換承諾情報を取得した場合には、画像データの交換が成立したものとしてＳ１０のステップに進む一方、所定時間内に交換承諾情報を取得しなかった場合には、画像データの交換が成立しなかったものとして、その旨を利用者に知らせ、処理を終了する。
【００８５】
画像データの交換が成立した場合、写真撮影プリント装置１は、原画像状態の画像データＢをタッチパネル１３に表示する（Ｓ１１）。これにより、利用者は、Ｓ５のステップで確認した劣化状態の画像データＢ’ではなく、原画像状態の画像データＢをはじめて確認することができる。
【００８６】
最後のステップでは、写真撮影プリント装置１は、画像データＢをプリンタ３４（図５参照）でプリント出力する（Ｓ１２：使用処理）。
【００８７】
本ステップでは、写真撮影プリント装置１は、プリンタ３４によるプリント出力に代えて、またはプリンタ３４によるプリント出力と併せて画像データＢを利用者携帯電話（Ｓ２で得られたメールアドレス）に電子メールで添付送信してもよい。この場合、写真撮影プリント装置１は、Ｓ３で得られた利用者携帯電話（外部装置）の機種情報に基づき、そのディスプレイ（表示手段）の解像度に応じた画素数に変換した状態で、画像データＢを上記利用者携帯電話に送信することも好ましい。また、このような変換を行う場合には、写真撮影プリント装置１は、変換後の画像データを専用モニタ等に表示し、利用者に変換状態を確認させてから利用者携帯電話に送信することも好ましい。さらに、写真撮影プリント装置１は、送信する画像データの配布回数や配布先を制限するフラグ情報などを電子メールに添付しておくことも好ましい。
【００８８】
以上、写真撮影プリント装置１における画像データ交換動作について説明したが、動作手順は必ずしも上記の例に限られるものではなく、例えば、Ｓ４乃至Ｓ６における相手側画像データ（画像データＢ・Ｂ’）の受信〜表示〜選択は、Ｓ７乃至Ｓ８における利用者側画像データ（画像データＡ）の表示・選択（送信）後に行われてもよい。
【００８９】
また、前記動作説明では、写真撮影プリント装置１と写真撮影プリント装置１’とがリアルタイム通信を行うことによって、画像データの交換を行う様子を説明したが、本発明の形態はこれに限られるものではない。
【００９０】
例えば、あらかじめ、写真撮影プリント装置１’が交換用画像データ（画像データＢ・Ｂ’）をサーバ３やパーソナルコンピュータ４（図２参照）に登録しておき、前記画像データ交換動作における写真撮影プリント装置１’の役割をサーバ３やパーソナルコンピュータ４に担わせることによって、写真撮影プリント装置１と写真撮影プリント装置１’とが、サーバ３やパーソナルコンピュータ４を介して間接的に画像データを交換することも可能である。
【００９１】
図１０は、複数の利用者（ユーザＡ〜ユーザＣ）の画像データがサーバ３に登録されている場合のデータ登録内容を示す模式図である。同図のように、サーバ３に画像データを登録する場合には、サーバ３が備える比較的大容量のメモリを有利に活用できるうえ、登録済の画像データをインターネットなどを通じて公開することも容易になる。
【００９２】
なお、前述のように、写真撮影プリント装置１の画像データ交換動作は、前記画像データ交換プログラムに基づいて実現されるものであるが、前記画像データ交換プログラムは、記憶装置３１（図５参照）の他、例えば、外部記憶装置として設けられたドライブ装置で読み取られるプログラムメディアによって供給されてもよい。
【００９３】
前記プログラムメディアとは、本体と分離可能に構成される記録媒体であり、磁気テープやカセットテープ等のテープ系、フロッピー（登録商標）ディスクやハードディスク等の磁気ディスクやＣＤ−ＲＯＭ／ＭＯ／ＭＤ／ＤＶＤ等の光ディスクのディスク系、ＩＣカード（メモリカードを含む）／光カード等のカード系、あるいはマスクＲＯＭ、ＥＰＲＯＭ、ＥＥＰＲＯＭ、フラッシュＲＯＭ等による半導体メモリを含めた固定的にプログラムを担持する媒体であってもよい。
【００９４】
【発明の効果】
本発明の画像データ交換方法は、以上のように、ネットワークを介し、複数の通信端末間で画像データを交換する画像データ交換方法であって、第一の通信端末の表示手段に、第二の通信端末から受信した第二の画像データを劣化状態で表示する劣化表示処理と、第一の通信端末が、自機の保有する第一の画像データと上記第二の画像データとの交換を申し出るための交換申出情報の入力を、第一の通信端末の利用者から受け付ける受付処理と、第一の通信端末が、上記交換申出情報を第二の通信端末に送信する申出処理と、第二の通信端末が、上記交換申出情報の内容に承諾する場合、上記第二の画像データを原状態で使用することを第一の通信端末に許可する使用許可情報を第一の通信端末に送信する許可処理と、第一の通信端末が、上記使用許可情報に基づいて、上記第二の画像データを原状態で使用する使用処理と、を備える構成である。
【００９５】
それゆえ、第一の通信端末と第二の通信端末との間で、交換の意思表示が確認された場合にのみ、第一の通信端末は、本来の原画像状態として、第二の通信端末が保有する画像データを使用することができる。この結果、画像データの提供が一方的なものとなることを回避しながら、公平かつ確実な画像データの交換を実現することができるという効果を奏する。
【００９６】
また、上記受付処理では、第一の通信端末は、交換対象となる、上記第一の画像データの画像データ数と上記第二の画像データの画像データ数とが一致する場合にのみ、上記交換申出情報のみを受け付けることが好ましい。これにより、第一の端末と第二の端末との画像データの交換をより公平なものとすることができるという効果を奏する。
【００９７】
また、上記使用処理の形態は、第二の画像データを原画像状態で使用するものであれば、特に限定されるものではないが、上記使用処理において、第一の通信端末は、上記使用許可情報に基づいて、上記原状態の第二の画像データを外部装置に送信することも好ましい。これにより、使用許可された第二の画像データを第一の通信端末で利用するだけではなく、その他の外部装置で利用することも可能になるという効果を奏する。
【００９８】
さらに、上記使用処理では、第一の通信端末は、上記原状態の第二の画像データを上記外部装置における表示手段の表示特性に応じた形態に変換し、変換後の画像データを上記外部装置に送信することが好ましい。これにより、外部装置において、適切な形態で表示される画像データを提供することが可能になるという効果を奏する。
【００９９】
なお、画像データ交換プログラムを実行させることにより、コンピュータを上記第一の通信端末として機能させることができるという効果を奏する。さらに、上記画像データ交換プログラムをコンピュータ読み取り可能な記録媒体に記録しておけば、上記画像データ交換プログラムをコンピュータに読み取り実行させることにより、コンピュータを上記第一の通信端末として機能させることが可能になるという効果を併せて奏する。
【０１００】
本発明の写真撮影プリント装置は、以上のように、被写体を撮影する撮影部と、上記撮影部が撮影した撮影画像をプリント出力する出力部と、ネットワークを介し、外部装置とのデータ送受信を行う送受信部とを備える写真撮影プリント装置であって、上記いずれかに記載の画像データ交換方法における第一の通信端末として機能する構成である。
【０１０１】
これにより、写真撮影プリント装置を第一の通信端末とした画像データ交換方法の実現が可能になるとともに、例えば撮影部が撮影した撮影画像をあらわす画像データを外部装置の画像データと交換することができるという効果を奏する。
【０１０２】
また、本発明のプリント紙ユニットは、以上のように、上記の写真撮影プリント装置に用いられるプリント紙ユニットであって、画像が印刷されるプリント紙と、上記プリント紙に関する識別情報を記録する識別媒体とを備え、上記写真撮影プリント装置に備えられた識別情報読取手段によって、上記識別媒体に記録されている識別情報が読み取られ、その内容が確認された上で上記プリント紙に画像が出力される構成である。
【０１０３】
これにより、識別情報読取手段で読み取った識別情報に基づいて、装着されたプリント紙が、当該写真撮影プリント装置において利用可能なものであるかを判定し、利用可能である場合にのみプリンタを動作可能とすることが可能となる。すなわち、写真撮影プリント装置において指定されているプリント紙以外は使用できないように設定することが可能となるという効果を奏する。
【０１０４】
また、識別情報に用紙枚数情報を含ませることによって、プリント紙を使用するごとに用紙枚数をカウントダウンすることにより、残りの用紙枚数を把握することが可能となるという効果を奏する。よって、残りの用紙枚数が少なくなってきた際に、これを表示手段などによって警告するような構成としておけば、利用者の利用中に用紙切れを起こすというような不具合を回避することが可能となるという効果を併せて奏する。
【０１０５】
さらに、識別情報に用紙種類情報を含ませることによって、これらを考慮して画像データの色成分などを補正することにより、その用紙やインクフィルムに的確な画像出力を行うことが可能となるという効果を奏する。
【図面の簡単な説明】
【図１】本発明の写真撮影プリント装置における画像データ交換動作（画像データ交換方法）を段階別に示すフローチャートである。
【図２】本発明の一実施形態に係る通信ネットワークシステムの構成を示す概念図である。
【図３】写真撮影プリント装置の正面側構成を示す斜視図である。
【図４】写真撮影プリント装置の背面側構成を示す斜視図である。
【図５】写真撮影プリント装置の機能構成をあらわすブロック図である。
【図６】（ａ）および（ｂ）は、写真撮影プリント装置のタッチパネルに表示されるメッセージ画面表示例（携帯電話の電話番号取得時）を示す図である。
【図７】（ａ）および（ｂ）は、写真撮影プリント装置のタッチパネルに表示されるメッセージ画面表示例（携帯電話の機種情報取得時）を示す図である。
【図８】写真撮影プリント装置のタッチパネルに表示されるメッセージ画面表示例（携帯電話のメールアドレス取得時）を示す図である。
【図９】（ａ）〜（ｃ）は、上記写真撮影プリント装置の画像データ交換動作時における画面表示例を示す模式図である。
【図１０】複数の利用者（ユーザＡ〜ユーザＣ）の画像データがサーバに登録されている場合のデータ登録内容を示す模式図である。
【符号の説明】
１    写真撮影プリント装置（通信端末）
２    通信ネットワーク（ネットワーク）
１２  カメラ（撮影部）
３１  記憶装置（記録媒体）
３３  ＩＤタグリーダ／ライタ（識別情報読み取り手段）
３４  プリンタ（出力部）
３５  通信部（送受信部）
４０  プリント紙ユニット
４１  ＩＤタグ（識別媒体）
４２  プリント紙
５０  制御装置（コンピュータ）
【図１】
2004153696.tif 000003
【図２】
2004153696.tif 000004
【図３】
2004153696.tif 000005
【図４】
2004153696.tif 000006
【図５】
2004153696.tif 000007
【図６】
2004153696.tif 000008
【図７】
2004153696.tif 000009
【図８】
2004153696.tif 000010
【図９】
2004153696.tif 000011
【図１０】
2004153696.tif 000012